(57)【要約】【課題】視覚障害者が路上又は、屋内通路等で居場所を正確に把握し安全に歩行できるシステムを提供する。【解決手段】白杖に充電池を内臓し、電波と赤外線の送受信装置および電気で作動するスイッチを取り付け、一方道路上には道路区画線用の塗料もしくはシールに電波と赤外線の送・受光・反射することが可能な物質を取り付け、更に交差点などの分岐点、地下通路・屋内通路などには路面埋め込み型の音声案内装置をタイルなどに埋め込み、白杖の先で道路区画線・タイル等に触れることによって白杖内部のスイッチが作動し、音声・信号・振動等で視覚障害者に正確に情報を伝える。【選択図】　　　　　　　　　　図１
2004118821.tif 000002
【特許請求の範囲】
【請求項１】
盲人が歩行する際に安全に歩行できるよう、道路上又は通路上に敷設した電気回路としての機能を果たす線状で継続的又は断続的に引いたラインもしくは道路区画線とタイル状の敷設物と、充電池又は、乾電池を電源とし、電波および赤外線を送受信する装置と石突部に内蔵された電気スイッチからなる白杖から構成される軌条式視覚障害者誘導システム。
【請求項２】
盲人が歩行する際に安全に歩行できるよう、あらかじめ道路または通路上に敷設し、白杖の先端部で反応し電気回路としての機能を果たす、継続的又は断続的に引いた誘導路としてのラインもしくはライン状のテープと道路区画線。
【請求項３】
盲人が歩行する際に安全に歩行できるよう、道路上又は通路上に敷設し、白杖からの赤外線で反応し電気回路としての機能を果たす継続的又は断続的に引いた誘導路としてのラインもしくはライン状のテープと道路区画線。
【請求項４】
盲人が歩行する際に安全に歩行できるよう、路面に設置が可能なタイル状の物に赤外線受光部および電気回路とあらかじめ録音された音声情報を発する装置を内蔵した請求項１記載のタイル状の敷設物。
【請求項５】
電気回路を作動させるため、白杖に内蔵させ白杖と一体とした充電池または乾電池挿入スペースととその専用充電器。
【請求項６】
電気回路を作動させるための、白杖の先端部の石突に内蔵されている電気および磁気で構成される電気回路、更には赤外線送・受光部。
【請求項７】
電気回路および充電端子部を保護するための白杖のグリップ部上部に装着する保護キャップ。
【請求項８】
電力不足で電気回路が構成されなくなった場合の、白杖先端部の石突に内蔵され磁力を発生させるための永久磁石とそれをソレノイド状に取り巻くリード線またはリード線の代替としてのシート状のソレノイドを構成する基盤回路。
【請求項９】
道路区画線用塗料に添加し電気的回路を構成しうる金属物および赤外線受光のためのガラス状の固形物からなる請求項１記載のラインおよび道路区画線。
【請求項１０】
道路区画線に準じて道路に敷設する又は通路上に敷設する塗料に添加し電気的・磁気的に電気回路を構成しうる永久磁石とリード線もしくは金属固体からなる請求項１記載のラインおよび道路区画線。
【請求項１１】
道路区画線またはそれに準ずる道路又は通路上に敷設するシール状のシートに電気的・磁気的に電気回路を構成しうる請求項１記載のラインおよび道路区画線。
【請求項１２】
入射角度が一様でなくとも一定の範囲に赤外線が入射すると固定された受光部に赤外線が入射することが可能なプリズム入りの請求項１記載のタイル。
【請求項１３】
電源、電気回路、電気的または磁気的スイッチ、音声を発する装置が一体となった請求項１記載のタイル。
【請求項１４】
請求項１記載の地上側設備から発せられた電波・赤外線・信号・音声が音声情報・視覚情報・バイブレーター等の振動情報で受信できるそれらの装置が一体となった請求項１記載の白杖。
【請求項１５】
円筒状の磁石とその中に接触しないで置かれる前記と同極の磁石で構成され石突が周囲に近づくことによって電気回路が構成される請求項８記載の電気回路。
【請求項１６】
赤外線受信記録から歩行経路を記憶し、フィードバックする記憶回路を内蔵した請求項１記載の白杖。
【請求項１７】
請求項１記載のラインおよび道路区画線が敷設不可能な際に断続的または継続的に線上に連結敷設可能な請求項１記載のタイル状敷設物。
【請求項１８】
歩行が危険である場所で、白杖を通して盲人に警報音と振動で知らせる装置を内蔵した請求項１記載の白杖。
【請求項１９】
通行が危険であるもしくは通行禁止の箇所に白杖からライン又はタイルへの情報を遮断するためのシール状のテープもしくは路面に貼付け可能なそれに準ずるマット、シート等のもの。
【発明の詳細な説明】
【０００１】
【発明の属する技術分野】
本発明は、道路または通路上に敷設され、白杖が接近した際に電気回路が構成されるラインおよび道路区画線およびそれに準ずるものとタイル状の敷設物、それにそれらを作動させるための装置を内蔵した白杖に関するものである。
【０００２】
【従来の技術】
【特許文献１】「特開２０００−２６２」
【特許文献２】「特開２０００−１１３３６８」
【特許文献３】「特開平１０−３０２１９０」
【特許文献４】「特開２００２−１０９６８０」
【０００３】
【発明が解決しようとする課題】
従来の発明においては、点字に代表されるように盲人に対して誘導する装置等が断続的で、それらを結んで線上に誘導する方法が存在しなかった。したがって盲人は誘導する装置等がない場所等では従来から行っているように、白杖のみを頼りに歩行しなければならなかった。
【０００４】
【課題を解決するための手段】
上記目標を達成するために、本発明では交差点・分岐点・その他に設けられた固定されたいわば点で配置された盲人を誘導するシステムどうしを線状に結び、この線状のライン・テープ等に白杖からの電気、磁気、赤外線で電気回路を構成できる仕組みを内蔵させ、盲人がいわばレールの上をトレースするように誘導するものである。
【０００５】
道路上・又は通路上に敷設するラインは後述するように、電気回路を構成できる物質をあらかじめ添加しておき、施工段階では敷設のみで完了するような構造になっている。
【０００６】
上記の道路上又は通路上に敷設する線状のラインは塗料で敷設するか、もしくは屋内で使用する際に簡便なようにシール状のテープにするほうが効果的である。
【０００７】
上記塗料には、鉄粉または鉄球などの通電物質で磁気に反応する金属を添加しておき、またシール状のテープには製造段階でそのような通電物質で磁気に反応する金属を添加しておくか、もしくは板状・線状の金属を埋め込んでおく。
【０００８】
更には、上記塗料とシール状テープには、赤外線受光・反射部として赤外線吸収固体を添加しておくことにより、赤外線での作動が可能となる。
【０００９】
交差点や通路分岐部において、位置や方位がわかるよう、白杖に取り付けたスイッチで作動し、音声が流れるようなタイル状のいわば位置情報案内装置を該当個所に取り付ける。
【００１０】
上記タイル状のものには、音声を発生するユニットとスイッチ、および赤外線送・受光部を、更には音声を肉声等で録音できるような装置をすべて一体にしておく方が効果的である。
【００１１】
上記タイル状のものに、白杖の先に取り付けられている石突が触れるかもしくは接近すると作動するように、タイルには同極の永久磁石を平行に埋め込み、石突には他極の磁石を内臓しておく。
【００１２】
電気に作動する仕掛のため、白杖に乾電池または充電池をいれるスペースを造り更には卓上式ホルダーに充電機能を内蔵させ、当該ホルダーに白杖を差し込むと充電できるようにする。
【００１３】
上記白杖の充電の端子部には、漏電と安全のためキャップを取り付けておく。
【００１４】
乾電池や充電池の容量がなくなり、電気的に作動させることが困難な場合のために永久磁石を用い、機械的に作動するようなシステムを白杖の先端部の石突に内蔵しておく。
【００１５】
上記、白杖先端部の石突には、同心円状で２つの永久磁石とソレノイドから構成され、磁気的に永久磁石が上下左右にに作動し、磁石に電気回路を組み込んでおくことにより電気回路を入、切するようにする。
【００１６】
上記、石突が道路上または通路上に敷設してあるラインもしくはタイルに接すると磁気的な反発力で作動し、それと連動して機械的に信号を振動や音で白杖本体を通して盲人の手または耳に伝える。
【００１７】
万が一、道路工事や建物、地下通路内で工事などで通行が危険な場合には白杖から路面上の敷設物に対しての情報が遮断されるよう、シール状に加工した電気回路を遮断するシート等を既設回路上の上に貼付け、不要の際は簡便に剥がすことが可能なようにする。
【００１８】
【発明の実施の形態】
発明の実施の形態を図面を参照して説明する。
図１においては本発明の全体のシステムを表している。盲人がまさにレールの上をトレースするように、線状の継続的又は断続的に敷設してあるライン１を頼りに専用の白杖を使用して歩行する。
【００１９】
図１に示されるように、交差点や道路・通路分岐点などに差し掛かった際に、現時点の居所、方角がわかるようラインに連結され、音声情報の発する機能が内蔵されているタイル状敷設物４からの情報を、白杖側からの電気的・磁気的・また赤外線の光などで作動させ、音声をならし盲人がそれを聞き理解する。
【００２０】
上記箇所を通過した後は、前述したようにラインを線状に伝って歩行を再開する。
【００２１】
白杖に充電池を挿入し、専用の差込式充電器を付属させることで、帰宅した際に容易に充電ができ、また充電池の容量が不足した際は、乾電池でも作動できる。
【００２２】
電源が不足の際は、図３の石突３の先に内蔵されている永久磁石で作動する機械的作動部１０の働きで、電気回路を構成し、電力不足の情報を盲人に知らせる。
【００２３】
歩行な危険な箇所は、図４に示されるように、既存の誘導路に絶縁効果があり電気回路を遮断できるシール５等を上から張って、白杖が近づいても反応しないようにする。
【００２４】
あらかじめテープに電流を入出力する回路を構成させ、前記シール５と組み合わせることにより、移動体の車内での敷設も可能となる。
【００２５】
【発明の効果】
本発明は以上のように構成されているので、以下に記載する効果を奏する。
【００２６】
盲人があらかじめ安全であろうと仮定された経路上に敷設された継続的または断続的なライン上を白杖を通しての電気的・磁気的・および赤外線で作動し、それによって伝わる情報により、あたかも列車がレールの上を走るのと同じように、線状に安全に移動できる。
【００２７】
道路、通路の分かれ目などの盲人には紛らわしい箇所には、音声情報で案内できるように、地上側に敷設されたタイル、ブロック等に一体化した、音声情報発信・録音・赤外線受光機を設置し位置情報を与え、誘導を補助する役目を果たす。
【００２８】
上記のものが一式組み合わさることで、限られた点状でしか安全に歩行できない盲人が、線状に自由に安全に歩行でき、また音声情報と組み合わさることによって居所を正確につかみ、移動が容易となる。
【００２９】
【図面の簡単な説明】
【図１】軌条式視覚障害者誘導システムの全体図である。
【図２】白杖の詳細図である。
【図３】白杖の先端部に装着している石突の詳細図である。
【図４】ラインの断面図である。
【図５】タイルの断面図である
【図６】タイルの正面側、赤外線受光のためのプリズム部である。
【図７】白杖上部のグリップ部先端の充電端子とその保護キャップの図である。
【符号の説明】
１　ライン
２　白杖本体
３　石突
４　タイル
５　遮断シール
６　充電端子
７　充電池，乾電池挿入スペース
８　赤外線送・受光部
９　永久磁石部
１０　電磁石回路部
１１　中空絶縁部
１２　ライン塗料またはテープ基材
１３　タイル本体
１４　タイル受け兼音声ユニット装着部
１５、１６　塗料またはテープ基材添加材料
１７　金属板または導電線
１８　プリズム部
１９　赤外線送・受光部
２０　充電端子保護キャップ
【図１】
2004118821.tif 000003
【図２】
2004118821.tif 000004
【図３】
2004118821.tif 000005
【図４】
2004118821.tif 000006
【図５】
2004118821.tif 000007
【図６】
2004118821.tif 000008
【図７】
2004118821.tif 000009